(57)【要約】【課題】異常時に入力する移報信号に対応する外部出力機器を柔軟に変更することができる信号中継装置を提供する。【解決手段】異常が検知されたときに発生する移報信号が入力されると、対応する誘導灯３１，３２，３３へ制御信号を出力する制御部１１を備える。第１記憶部１２には、入力する移報信号と複数の制御信号との対応関係を示す第１データを記憶する。第２記憶部１３は、ＥＰＲＯＭから構成され、第１記憶部１２に転送すべき第２データと第２データを転送すべきか否かを示すフラグ情報とを記憶する。制御部１１は、フラグ情報を参照して、第２データを転送すべきと判断したときに、第２データを第１記憶部１２に転送し、これを第１データとして第１記憶部１２に記憶させる。そして、第１記憶部１２に記憶されている第１データに基づいて複数の制御信号を出力する。【選択図】図１
2012221436.tif 000002
【特許請求の範囲】
【請求項１】
異常が検知されたときに発生する移報信号が入力される入力部と、
前記入力部に入力した移報信号に基づいて複数の外部出力機器を駆動するための複数の出力信号を出力する制御部と、を備え、
前記制御部は、
前記入力部に入力する移報信号と前記複数の出力信号との対応関係を示す第１データを記憶する不揮発性の第１記憶部と、
前記第１記憶部に転送すべき第２データと該第２データを転送すべきか否かを示すフラグ情報とを記憶し、書き換え手段により書き換え可能なＥＥＰＲＯＭから構成される第２記憶部と、
特定のタイミングに前記フラグ情報を参照して、前記第２データを転送すべきと判断したときに、前記第２データを前記第１記憶部に転送し、これを第１データとして該第１記憶部に記憶させる転送制御部と、
前記第１記憶部に記憶されている第１データに基づいて前記複数の出力信号を出力する出力部と、を備える信号中継装置。
【請求項２】
前記フラグ情報は、前記書き換え手段により第２データが書き換えられたときに転送すべき情報に設定され、前記転送制御部によりこの第２データが前記第１記憶部に第1データとして記憶されたときに転送不要情報に設定される、
請求項１記載の信号中継装置。
【請求項３】
前記特定のタイミングは、信号中継装置本体の電源オン時である請求項１又は２に記載の信号中継装置。
【発明の詳細な説明】
【技術分野】
【０００１】
本発明は、非常時に入力された移報信号を、警報器などへ中継する信号中継装置に関する。
【背景技術】
【０００２】
従来、ガス漏れ又は火災などの警報器の分野において、複数の警報器を接続して、ある警報器が警報を出力したときに、他の警報器からも警報を出力するシステムがある（例えば、特許文献１参照）。特許文献１には、警報状態又は故障状態の検出時にその状態を報知する複数の警報器を相互に接続し、ある警報器で検出した警報状態等を他の警報器に報知させることができる無線装置が開示されている。
【先行技術文献】
【特許文献】
【０００３】
【特許文献１】特開２００７−０９４７１９号公報
【発明の概要】
【発明が解決しようとする課題】
【０００４】
しかしながら、特許文献１の場合、警報状態等を出力する他の警報器は予め決められており、警報状態等を出力する警報器を柔軟に変更することができない。例えば、ビルの建物において各階に設置した警報器を接続している構成の場合、ある階の警報器に警報状態等を出力させるように設定していたものを、その階の直上階又は直下階等、他の階に設置した警報器に出力させるといった変更を容易に行うことができない。
【０００５】
そこで、本発明の目的は、異常時に入力する移報信号に対応する外部出力機器を柔軟に変更することができる信号中継装置を提供することにある。
【課題を解決するための手段】
【０００６】
本発明に係る信号中継装置は、異常が検知されたときに発生する移報信号が入力される入力部と、前記入力部に入力した移報信号に基づいて複数の外部出力機器を駆動するための複数の出力信号を出力する制御部と、を備え、前記制御部は、前記入力部に入力する移報信号と前記複数の出力信号との対応関係を示す第１データを記憶する不揮発性の第１記憶部と、前記第１記憶部に転送すべき第２データと該第２データを転送すべきか否かを示すフラグ情報とを記憶し、書き換え手段により書き換え可能なＥＥＰＲＯＭから構成される第２記憶部と、特定のタイミングに前記フラグ情報を参照して、前記第２データを転送すべきと判断したときに、前記第２データを前記第１記憶部に転送し、これを第１データとして該第１記憶部に記憶させる転送制御部と、前記第１記憶部に記憶されている第１データに基づいて前記複数の出力信号を出力する出力部と、を備える。
【０００７】
この構成では、移報信号を入力した場合、第１記憶部に記憶された第１データに基づいて、その移報信号を入力した入力部に対応する出力信号が出力される。出力信号で駆動される外部出力機器は、例えば、誘導灯や警報器である。第１記憶部とは別に書き換え手段により書き換え可能なＥＥＰＲＯＭから構成される第２記憶部を備えている。このＥＥＰＲＯＭには第２データが記憶され、この第２データが第１記憶部に転送されて第１データとして記憶される。
【０００８】
ＥＥＰＲＯＭは低速であるために、移報信号に対応する出力信号を抽出するのにＥＥＰＲＯＭをアクセスすると時間がかかるが、ＥＥＰＲＯＭに記憶されている第２データを第１記憶部に転送することにより制御部はこの第１記憶部へアクセスすることにより移報信号に対応する出力信号を抽出することが出来る。したがって、高速処理が可能である。
【０００９】
また、ＥＥＰＲＯＭには、上記転送すべきかどうかを示すフラグ情報が記憶されている。フラグがオン、すなわち、フラグ情報がデータ転送すべきであることを示す場合は、ＥＥＰＲＯＭの第２データを転送するが、そうでない場合はデータ転送を行わない。したがって、フラグを、第２データが変更されたときのみオンさせておけば、第２データの変更時のみに、転送できることになる。したがって、第１記憶部の第１データは変更されたときにのみ更新（転送）されることになり、それ以外のときには時間のかかる転送処理が行われないことになり、効率が良くなる。
【００１０】
制御部が第２記憶部にアクセスしてフラグ情報をチェックするタイミングは信号中継装置本体の電源オン時である。
【００１１】
電源オン操作は、例えば毎日１回朝に行われることとすれば、朝にフラグ情報がチェックされ、そのときにフラグが立っていれば、すなわち、第２データが書き換えられていれば、第１データも書き換えられる（更新される）。
【発明の効果】
【００１２】
本発明によれば、異常時に入力する移報信号に対応する外部出力機器を柔軟に変更することができる。
【図面の簡単な説明】
【００１３】
【図１】実施形態に係る警報用信号装置の構成を模式的に示すブロック図
【図２】第１記憶部に記憶された出力設定データの概念図
【図３】出力設定データの書き換え処理を示すフローチャート
【図４】出力設定データの読み取り処理を示すフローチャート
【発明を実施するための形態】
【００１４】
以下、本発明に係る信号中継装置の好適な実施の形態について図面を参照して説明する。以下の実施形態では、本発明に係る信号中継装置は、警報システムにおいて用いられる警報用信号装置として説明する。警報システムは、ある場所で異常（火災、地震等）を検知した際に、他の場所に報知するシステムであり、以下の実施形態では、ビルに設置されるものとする。
【００１５】
図１は実施形態に係る警報用信号装置の構成を模式的に示すブロック図である。警報用信号装置（本体）１０は、複数の第１センサ２１、第２センサ２２及び第３センサ２３からの検知結果を有線又は無線で受信する受信機２０、及び複数の第１誘導灯３１、第２誘導灯３２及び第３誘導灯３３と接続している。
【００１６】
第１センサ２１、第２センサ２２及び第３センサ２３は、煙又は温度を検知する火災センサ又は火災通報装置であり、例えばビル等の建物の各階に設置されている。本実施形態では、第１センサ２１はビルの１階、第２センサ２２はビルの２階、第３センサ２３はビルの３階にそれぞれ設置されているものとする。
【００１７】
第１誘導灯３１、第２誘導灯３２及び第３誘導灯３３は、非常時点灯、点滅するキセノンランプ、ＬＥＤ又は誘導音装置等である。第１誘導灯３１はビルの１階、第２誘導灯３２はビルの２階、第３誘導灯３３はビルの３階にそれぞれ設置されているものとする。
【００１８】
なお、センサ及び誘導灯はそれぞれ三つとしているが、数は適宜変更可能である。また、センサとしては、例えばガス漏れを検知するセンサを用いてもよい。また、誘導灯に代わり、警報音声を出力するスピーカを用いてもよい。
【００１９】
受信機２０は、第１センサ２１、第２センサ２２及び第３センサ２３の何れかが煙又は温度等の異常を検知した場合、検知した第１センサ２１、第２センサ２２及び第３センサ２３に応じた移報信号を警報用信号装置１０へ出力する。具体的には、警報用信号装置１０及び受信機２０は、第１センサ２１、第２センサ２２及び第３センサ２３の数と同数の配線により接続されている。そして、例えば第１センサ２１が異常を検知すると、それに対応する配線を介して、受信機２０から警報用信号装置１０へ移報信号が出力される。
【００２０】
なお、本実施形態に係る警報システムにおいて、受信機２０は警報用信号装置１０の外部に設置されている構成としているが、警報用信号装置１０が備えていてもよい。
【００２１】
警報用信号装置１０は、受信機２０から移報信号が入力されると、対応する第１誘導灯３１、第２誘導灯３２及び第３誘導灯３３へ制御信号（出力信号）を出力し、第１誘導灯３１、第２誘導灯３２及び第３誘導灯３３を点灯又は点滅させる。例えば、警報用信号装置１０は、第１センサ２１が異常を検知した場合、第１センサ２１が設置された１階及びその直上階それぞれに設置された第１誘導灯３１及び第２誘導灯３２それぞれが点灯するように、制御信号を第１誘導灯３１及び第２誘導灯３２へ出力する。移報信号を入力した第１誘導灯３１及び第２誘導灯３２は、点滅又は点灯する。
【００２２】
警報用信号装置１０は、制御部１１、第１記憶部１２及び第２記憶部１３を備えている。制御部１１は、例えばＣＰＵ（Central Processing Unit）であって、不図示のＲＯＭ（ReadOnly Memory）等に記憶されたプログラムに従って、接続される各部の動作制御を行い、必要に応じた処理を実行する。
【００２３】
第２記憶部１３は、例えば、ＥＥＰＲＯＭ（Electrically Erasable Programmable Read-Only Memory）等の不揮発性メモリを備える。第２記憶部１３には、受信機２０から移報信号を入力した場合に、移報信号を第１誘導灯３１、第２誘導灯３２及び第３誘導灯３３の何れへ出力するかを設定したデータ（第２データ。以下、出力設定データ）が記憶されている。第２記憶部１３に記憶されている出力設定データは、専用の書き換えツール（書き換え手段）１４（例えば、パーソナルコンピュータ）を介して書き換え可能となっている。
【００２４】
また、第２記憶部１３は、書換フラグ（フラグ情報）を記憶している。書換フラグは、出力設定データが書き換えツール１４により書き換えられた場合、オンにされる。制御部１１は、この書換フラグがオンであるか否かをみることで、出力設定データが書き換えられたか否かを判定することができる。
【００２５】
第１記憶部１２は、第２記憶部１３に記憶されている第２データを第１データとして記憶する。この第１記憶部１２は、例えばＲＡＭなど、ＣＰＵバスを介して高速にアクセスできるメモリで構成される。制御部１１は、電源オン時など、特定のタイミングに書換フラグを参照して、該フラグオンしているときに、第２データを第１記憶部１２に転送し、これを第１データとして該第１記憶部１２に記憶させる転送制御手段を備える。制御部１１は、転送処理を終了すると、第２記憶部１３の書換フラグをオフする（第２データは転送不要情報として設定される）。転送制御手段は実際にはソフトウエアで構成される。
【００２６】
制御部１１は、移報信号が入力されると、第１記憶部１２に記憶されている第１データを参照し、その移報信号に対応する制御信号を抽出し、抽出した制御信号に対応する外部出力機器（第１誘導灯３１、第２誘導灯３２及び第３誘導灯３３等）を駆動する。
【００２７】
図２は第１記憶部１２に記憶された出力設定データの概念図であり、その一部をマトリックスで示している。カラム（列）とロウ（行）には、それぞれ移報信号Ｓ１〜Ｓ３と出力信号Ｌ１〜Ｌ３が対応していて、その交差部にはダイオードが選択的に接続される。図２では、ダイオードＤ２、Ｄ３、Ｄ９が切断されている。したがって、例えば、移報信号Ｓ１が入力すると、出力信号Ｄ１のみが出力される。
【００２８】
図３は、第２データ（出力設定データ）の書き換え処理を示すフローチャートである。本実施形態では、書き換えツール１４によって第２データの書き換えが行われる。図３は、書き換えツール１４において実行される処理である。
【００２９】
書き換えツール１４は、第２データ（出力設定データ）の書き換えが入力されたか否かを判定する（Ｓ１）。入力されていない場合（Ｓ１：ＮＯ）、本処理を終了する。入力された場合（Ｓ１：ＹＥＳ）、警報用信号装置１０の第２記憶部１２に記憶された第２データ（出力設定データ）を書き換え（Ｓ２）、第２記憶部１２に書き換えたことを示す書換フラグをオンする（Ｓ３）。そして、本処理を終了する。
【００３０】
図４は、第２データ（出力設定データ）の読み取り処理を示すフローチャートである。図４に示す処理は、制御部１１により電源オン時に実行される。
【００３１】
警報用信号装置１０の電源がオンにされると、制御部１１は、図４に示す処理の実行を開始し、例えば第１記憶部１２の記憶内容をクリアするなどの初期動作を行う（Ｓ１０）。次に、制御部１１は、第２記憶部１３にアクセスし、書換フラグがオンされているか否かを判定する（Ｓ１１）。書換フラグがオンされていない場合（Ｓ１１：ＮＯ）、制御部１１は、Ｓ１４の処理へ移る。
【００３２】
一方、書換フラグがオンされている場合（Ｓ１１：ＹＥＳ）、制御部１１は第２記憶部１３から第２データ（出力設定データ）を読み取り、第１記憶部１２に記憶した第２データ（出力設定データ）を更新する（Ｓ１２）。そして、制御部１１は第２記憶部１３に記憶されている書換フラグをオフする（Ｓ１３）。
【００３３】
制御部１１は、受信機２０から移報信号が入力されるまで待機する（Ｓ１４）。入力されると、制御部１１は、異常を検知したセンサに対応する第１データ（出力設定データ）を第１記憶部１２から読み取り（Ｓ１５）、その第１データ（出力設定データ）に基づいて、外部出力機器である誘導灯３１，３２，３３の制御を行う（Ｓ１６）。
【００３４】
このように、第２データ（出力設定データ）を書き換えた場合に書換フラグを第２記憶部１３においてオンしておくことで、制御部１１は、第２記憶部１３の第２データ（出力設定データ）が書き換えられたか否かを瞬時に判定できる。このため、制御部１１は、書き換えがあった場合のみ第２データ（出力設定データ）を読み取ればよいため、書き換えの有無に拘らず、常に第２記憶部１３から出力設定データを読み取る場合との対比において処理時間を軽減できる。
【００３５】
以上説明したように、本実施形態に係る警報用信号装置１０は、第１記憶部１２に記憶された第１データに従って、移報信号に対応する制御信号の出力先（誘導灯３１，３２，３３など）の切り替えが可能となっている。第１記憶部１２に記憶された第１データは、第２記憶部１３から読み取り記憶される。このため、第２記憶部１３に記憶された出力設定データを書き換えることで、警報用信号装置１０の回路等を変更することなく、点灯又は点滅させる誘導灯を切り替えることができる。
【００３６】
なお、警報用信号装置１０の具体的構成などは、適宜設計変更可能であり、上述の実施形態に記載された作用及び効果は、本発明から生じる最も好適な作用及び効果を列挙したに過ぎず、本発明による作用及び効果は、上述の実施形態に記載されたものに限定されるものではない。
【符号の説明】
【００３７】
１０−警報用信号装置
１１−制御部（入力部、転送制御部、出力部）
１２−第１記憶部
１３−第２記憶部（ＥＥＰＲＯＭ）
２０−受信機
２１，２２，２３−センサ３１，３２，３３−誘導灯
【図１】
2012221436.tif 000003
【図２】
2012221436.tif 000004
【図３】
2012221436.tif 000005
【図４】
2012221436.tif 000006